(57)【要約】  【課題】プリンタ装置において、駆動モータが金属板製フレームに固定されることを利用して、駆動モータへの給電用の導電ワイヤを削減し、コストダウンを図り、かつ組立て時の作業性を良くする。  【解決手段】プリント配線基板１０の固定用金属ビス１３を金属板製フレーム１と導通させ、駆動モータ５の固定用金属ビス１８を介して金属製筐体５ａと金属板製フレーム１とを導通させる。さらに、駆動モータ５の一方の給電電極１９ａを金属製筐体５ａと接続２０させ、プリント配線基板１０からの一方の出力電極２１ｂは、導電ワイヤ２２を介して給電電極１９ｂに接続させるが、他方の出力電極２１ａは金属ビス１３に接続２３して、金属ビス１３、金属板製フレーム１、金属ビス１８及び金属製筐体５ａからなる導電経路を介して給電電極１９ａに接続させる。また、プリント配線基板１０上には、直流電源回路１４からの直流の極性を切替える極性切替回路２４を備える。【選択図】  図４
2006198892.tif 000002
【特許請求の範囲】
【請求項１】
装置本体の金属板製フレームと、該金属板製フレームに固定された印字ヘッドキャリアの駆動モータと、前記金属板製フレームに固定されたプリント回路基板と、該プリント回路基板に直流を給電する直流電源回路とを有するインクジェットプリンタ装置において、
前記印字ヘッドキャリアの駆動モータは金属製筐体を備えたものとし、該駆動モータの給電電極の一方は前記金属製筐体へ接続し、かつ該駆動モータは、前記金属製筐体と前記金属板製フレームとを導通させて金属板製フレームに固定し、
前記プリント回路基板上に、前記直流電源回路から給電される直流電流の極性を、印字ヘッドのキャリア移動に同期して切替える極性切替回路を備え、
前記直流電源回路の一方の出力電極は、導電ワイヤを通じて前記駆動モータの他方の電極に接続し、
前記直流電源回路の他方の出力電極は、前記プリント配線基板と前記金属板製フレームを固定する金属ビスを通じて前記金属板製フレームに接続して、
前記印字ヘッドキャリアの駆動モータへの給電用ワイヤを実質的に一方の電極側のみとしたことを特徴とするインクジェットプリンタ装置。
【請求項２】
装置本体の金属板製フレームと、該金属板製フレームに固定された紙送り機構の駆動モータと、前記金属板製フレームに固定されたプリント回路基板と、該プリント回路基板に直流を給電する直流電源回路とを有するプリンタ装置において、
前記紙送り機構の駆動モータは金属製筐体を備えたものとし、該駆動モータの給電電極の一方は前記金属製筐体へ接続し、かつ該駆動モータは、前記金属製筐体と前記金属板製フレームとを導通させて金属板製フレームに固定し、
前記プリント回路基板に給電された直流電流の一方の出力電極は、導電ワイヤを通じて前記駆動モータの他方の電極に直接接続し、他方の出力電極は、前記プリント配線基板と前記金属板製フレームを固定する金属ビスを通じて前記金属板製フレームに接続して、
前記紙送り機構の駆動モータへの給電用ワイヤを実質的に一方の電極側のみとしたことを特徴とするプリンタ装置。
【請求項３】
前記紙送り機構の駆動モータが単一の反転可能なモータであり、かつ該駆動モータに連結された紙送り機構が、前記駆動モータの回転方向によって、用紙のピックアップ時の紙送りと、ピックアップした用紙を印字装置側へ送るフィード送りを切替える手段を備えることを特徴とする請求項２に記載のプリンタ装置。
【請求項４】
前記紙送り機構の駆動モータが、用紙のピックアップ用の機構の駆動モータと、ピックアップした用紙を印字装置側へ送るフィード送り用の機構の駆動モータとの２個の駆動モータからなることを特徴とする請求項２に記載のプリンタ装置。
【発明の詳細な説明】
【技術分野】
【０００１】
本発明は、インクジェットプリンタ装置及びプリンタ装置に関し、詳しくは筐体内の金属板製フレームに印字ヘッドキャリアの駆動モータを固定したインクジェットプリンタ装置、及び同じく筐体内の金属板製フレームに紙送り機構の駆動モータを固定したプリンタ装置に関する。
【背景技術】
【０００２】
インクジェットプリンタ装置内に備えられる駆動モータは、大別して、印字ヘッドキャリアを左右に往復移動させるための駆動モータと、用紙を用紙載置トレイからピックアップして印字装置（印字ヘッド）方向へと送る紙送り機構を駆動するための駆動モータの２種がある。また、インクジェットプリンタ装置の筐体内には、金属板製のフレームが樹脂製筐体を補強するように設けられており、この金属板製フレームにプリンタ装置の種々の制御回路を搭載したプリント配線基板や上述の駆動モータが固定される。
【０００３】
一方、プリンタ装置は、紙送り機構等において静電気が発生しやすい機器であり、金属板製フレームは静電気の除去のためにも利用されている。例えば、ペーパーカッターに設けた接触片がプリンタユニットの金属フレームに導通接触するようにして、ペーパーカッターのアース処理を行うもの（特許文献１参照）や、連続用紙を扱うプリンタにおいて、両端がフレームに支持されたトラクタシャフトのトラクタに連続用紙と接触可能な導電性部材を設け、この導電性部材とトラクタシャフトを介して静電気をフレームに逃がすようにしたもの（特許文献２参照）が知られている。
【０００４】
また、一般的な電子機器における静電気対策として金属フレームを利用するものとして、金属フレームとプリント配線基板間にノイズ吸収板を設けたもの（特許文献３参照）が知られている。
【０００５】
【特許文献１】特開平５−２３８０８６号公報
【特許文献２】特開平５−８９１３号公報
【特許文献３】特開２００１−１１８６１３号公報
【発明の開示】
【発明が解決しようとする課題】
【０００６】
上述のインクジェットプリンタ装置内の２種の駆動モータへは直流が給電されるようになっており、その直流電流は、金属板製フレームに固定されたプリント配線基板から延びる導電ワイヤを通じて各駆動モータへ給電されるようになっている。プリント配線基板は、搭載する回路の設計のしやすさとか、組立ての容易さを考慮して、通常は１枚の基板である。一方、印字ヘッドキャリアの駆動モータと、紙送り機構を駆動するための駆動モータとは、印字ヘッドキャリアの駆動機構がプリンタ装置内の比較的上方に配置され、紙送り機構が用紙の紙送り方向の関係から比較的下方に配置されるために、プリンタ装置内で離間した位置に固定される。この離間して固定された２種の駆動モータに対して、１枚のプリント配線基板から延びた導電ワイヤにより給電するので、必然的に導電ワイヤのトータルな長さは相当に長いものが必要になる。長い導電ワイヤを必要とするということは、コストアップにも繋がるし、組立て時の引き回しや半田処理等各導電ワイヤの扱いが面倒なものとなる。
【０００７】
そこで、本発明は、上述のプリンタ装置において、印字ヘッドキャリアの駆動モータ及び／又は紙送り機構の駆動モータが金属板製フレームに固定されることを利用して、各駆動モータへの給電用の導電ワイヤを可及的に削減し得、その分コストダウンでき、かつ組立て時の作業性が良いインクジェットプリンタ装置及びプリンタ装置を提供することを目的とする。
【課題を解決するための手段】
【０００８】
上記目的を達成するための請求項１の発明は、装置本体の金属板製フレームと、該金属板製フレームに固定された印字ヘッドキャリアの駆動モータと、前記金属板製フレームに固定されたプリント回路基板と、該プリント回路基板に直流を給電する直流電源回路とを有するインクジェットプリンタ装置において、前記印字ヘッドキャリアの駆動モータは金属製筐体を備えたものとし、該駆動モータの給電電極の一方は前記金属製筐体へ接続し、かつ該駆動モータは、前記金属製筐体と前記金属板製フレームとを導通させて金属板製フレームに固定し、前記プリント回路基板上に、前記直流電源回路から給電される直流電流の極性を、印字ヘッドのキャリア移動に同期して切替える極性切替回路を備え、前記直流電源回路の一方の出力電極は、導電ワイヤを通じて前記駆動モータの他方の電極に接続し、前記直流電源回路の他方の出力電極は、前記プリント配線基板と前記金属板製フレームを固定する金属ビスを通じて前記金属板製フレームに接続して、前記印字ヘッドキャリアの駆動モータへの給電用ワイヤを実質的に一方の電極側のみとしたことを特徴とする。
【０００９】
請求項２の発明は、装置本体の金属板製フレームと、該金属板製フレームに固定された紙送り機構の駆動モータと、前記金属板製フレームに固定されたプリント回路基板と、該プリント回路基板に直流を給電する直流電源回路とを有するプリンタ装置において、前記紙送り機構の駆動モータは金属製筐体を備えたものとし、該駆動モータの給電電極の一方は前記金属製筐体へ接続し、かつ該駆動モータは、前記金属製筐体と前記金属板製フレームとを導通させて金属板製フレームに固定し、前記プリント回路基板に給電された直流電流の一方の出力電極は、導電ワイヤを通じて前記駆動モータの他方の電極に直接接続し、他方の出力電極は、前記プリント配線基板と前記金属板製フレームを固定する金属ビスを通じて前記金属板製フレームに接続して、前記紙送り機構の駆動モータへの給電用ワイヤを実質的に一方の電極側のみとしたことを特徴とする。
【００１０】
請求項３の発明は、請求項２の発明において、前記紙送り機構の駆動モータが単一の反転可能なモータであり、かつ該駆動モータに連結された紙送り機構が、前記駆動モータの回転方向によって、用紙のピックアップ時の紙送りと、ピックアップした用紙を印字装置側へ送るフィード送りを切替える手段を備えることを特徴とする。
【００１１】
請求項４の発明は、請求項２の発明において、前記紙送り機構の駆動モータが、用紙のピックアップ用の機構の駆動モータと、ピックアップした用紙を印字装置側へ送るフィード送り用の機構の駆動モータとの２個の駆動モータからなることを特徴とする。
【発明の効果】
【００１２】
請求項１の発明によれば、印字ヘッドキャリアの駆動モータへの給電が、一方の給電電極については、プリント配線基板、金属板製フレーム、及び駆動モータ自身の金属製筐体を通じて行われるので、導電ワイヤが必要ではなく、その分コストダウンでき、かつ組立て時の作業性が良い。
【００１３】
請求項２乃至４の発明によれば、紙送り機構の駆動モータへの給電が、一方の給電電極については、プリント配線基板、金属板製フレーム、及び駆動モータ自身の金属製筐体を通じて行われるので、導電ワイヤが必要ではなく、その分コストダウンでき、かつ組立て時の作業性が良い。
【発明を実施するための最良の形態】
【００１４】
以下、本発明の第１の実施形態に係るインクジェットプリンタ装置について図１乃至図４を参照して説明する。図１は、本実施形態のプリンタ装置の本体内に設けられた金属板製フレーム１を背面から見た図であり、図２及び図３は図１のＡ、Ｂ部を拡大して示す図であり、図４はその要部を上面から見た図である。本実施形態のインクジェットプリンタは、装置本体の樹脂製筐体の立壁部（不図示）に沿わせて横長形状の金属板製フレーム１が設けてある。この金属板製フレーム１の一側には、印字ヘッド２を担持するキャリア３と、キャリア３を用紙の左右方向に往復移動させる無端ベルト４が設けてある。この無端ベルト４の一側が後述の駆動モータ５の回転軸６に巻きかけてあり、駆動モータ５が可変周期（通常は１０ＫＨｚ以下）で正転と逆転を繰返すことにより、印字ヘッドキャリア３が左右に往復移動（図４の矢印Ｔ）されるようになっている。
【００１５】
また、金属板製フレーム１の屈曲した一端には別の駆動モータ７が固定してあり、この駆動モータ７の回転軸８が、ローラ、回転軸あるいはギヤ等からなる公知の紙送り機構９に係合して、これを駆動するようになっている。本実施形態の紙送り機構９は、上記単一の駆動モータ７によって駆動され、駆動モータ７が正転することによって、１枚の用紙が用紙載置トレイ（不図示）からピックアップされ、駆動モータ７が逆転することによって、ピックアップした用紙の印字装置（印字ヘッド２）側へのフィード送りが行われるようになっている。なお、紙送り機構９によって、用紙は図４における下方から上方へ向けて送られ、その間で表面へのインクジェット印字が行われる。
【００１６】
また、図１における金属板製フレーム１の左側上部には、駆動モータ５及び駆動モータ７の制御回路を含む種々の回路を搭載したプリント回路基板１０が、３本の金属ビス１１、１２、１３によって固定してあり、一端には直流電源回路１４が接続１５してある。直流電源回路１４から供給された直流は、２本の導電ワイヤ１６、１７を介して紙送り機構９の駆動モータ７へ給電され、この導電ワイヤ１６、１７により送られる直流の極性が、プリント回路基板１０上の制御回路により切替えられ、駆動モータ７の回転方向が上述のタイミングで切替えられる。つまり、制御回路が紙送りのコマンドを受信することにより、駆動モータ７への給電を開始し、駆動モータ７が正転して紙送り機構９を駆動し、用紙載置トレイから用紙をピックアップする。そして、ピックアップされた用紙が所定の位置まで進行したことがセンサ等により検知されると、その検知信号によって制御回路が駆動モータ７への給電の極性を切替え、駆動モータ７が逆転を開始することにより、用紙が後段の印字装置方向へと送られる。
【００１７】
紙送り機構９の駆動モータ７への給電は、上述のようにしてなされるが、印字ヘッドキャリヤ３の駆動モータ５への給電経路は本発明に従って次のようになっている。つまり、本実施形態のインクジェットプリンタ装置では、プリント配線基板１０の金属板製フレーム１への３本の固定用金属ビス１１、１２、１３のうち２本の金属ビス１１、１２は、金属板製フレーム１との間が非導通（絶縁）となっており、１本の金属ビス１３のみが金属板製フレーム１と導通させてある。また、印字ヘッドキャリヤ３の駆動モータ５は、金属製筐体５ａを有するものが採用されると共に、金属板製フレーム１への固定用金属ビス１８を介して金属製筐体５ａと金属板製フレーム１とが導通され、さらに駆動モータ５の一方の給電電極１９ａが金属製筐体５ａと接続２０されている。
【００１８】
そして、プリント配線基板１０から印字ヘッドキャリヤ３の駆動モータ５への直流の出力電極２１ｂは、導電ワイヤ２２を介して駆動モータ５の他方の給電電極１９ｂに接続され、他方の出力電極２１ａは金属板製フレーム１と導通させた金属ビス１３に接続２３してある。つまり、プリント配線基板１０からの直流出力の一方の電極２１ｂは、導電ワイヤ２２を介して駆動モータ５へ接続されるが、直流出力の他方の電極２１ａは、導電ワイヤを介さず、金属ビス１３、金属板製フレーム１、金属ビス１８及び金属製筐体５ａからなる導電経路を通じて駆動モータ５へ給電される。また、プリント配線基板１０上には、直流電源回路１４からの直流の極性を、印字ヘッドキャリヤ３の往復移動の周期（１ヘルツ）に合わせて切替える極性切替回路２４が備えられ、この極性切替回路２４によって出力電極２１ａ、２１ｂの極性が切替えられる。
【００１９】
本実施形態のインクジェットプリンタ装置では、紙送り機構９が前述のとおりに駆動されて、用紙が印字装置（印字ヘッド２）に供給された後、上記の給電経路を介して印字ヘッドキャリヤ３の駆動モータ５へ所定周期で極性が切替わる直流が給電されるので、印字ヘッド２がその周期で左右に往復移動（図４の矢印Ｔ）され、用紙への印字が行われる。また、本実施形態のインクジェットプリンタ装置を組立てる時には、プリント配線基板１０の出力電極２１ｂから延びる導電ワイヤ２２が１本であるので、引き回し及び半田接続等の取り扱いが容易であり、金属ビス１３、金属板製フレーム１、金属ビス１８及び金属製筐体５ａからなる導電経路は、組立てを行うことにより実質的に同時に形成されるので、当該導電経路を形成するための特別な工程が必要ではなく、導電ワイヤを用いることに伴う電極への半田固定作業等の工程も省略される。さらに、プリント配線基板１０と駆動モータ５間を接続する導電ワイヤ２２のトータルな長さが半減するので、その分材料費が少なくて済み、コストダウン効果もある。
【００２０】
なお、本実施形態では、駆動モータ５の金属製筐体５ａと金属板製フレーム１との導通を、固定用金属ビス１８を介して得ているが、この駆動モータ５の金属製筐体５ａと金属板製フレーム１との導通を得る構造は、その他種々の構成が可能である。例えば、金属製筐体５ａの端部に金属板製フレーム１への固定用爪を延設し、その固定用爪を金属板製フレーム１に接触させて屈曲するようにしてもよい。また、駆動モータ５の給電電極１９ａの金属製筐体５ａへの接続２０は、接続のための別部材を用いるのではなく、給電電極１９ａ自身を予め金属製筐体５ａに接触させた構造としておいてもよい。
【００２１】
さらに、本実施形態では、印字ヘッドキャリヤ３の駆動モータ５への一方の給電経路を、導電ワイヤを用いない、金属板製フレーム１を介した経路としたが、印字ヘッドキャリヤ３の駆動モータ５への給電経路は、従来と同様に２本の導電ワイヤを用いた給電経路とし、紙送り機構９の駆動モータ７への給電経路を、本発明に従った導電ワイヤを省略した経路としてもよい。以下、これを第２の実施形態として図５に基づいて説明する。
【００２２】
次に、第２の実施形態に係るインクジェットプリンタ装置について図５を参照して説明する。第１の実施形態と同一の構造箇所については、同一の番号を付して説明を省略する（以下、同様）。本実施形態のインクジェットプリンタ装置は、印字ヘッドキャリヤ３の駆動モータの２つの給電電極１９ａ、１９ｂ共に、導電ワイヤ３１、３２を介してプリント配線基板１０上の出力電極２１ａ、２１ｂと接続されている。一方、紙送り機構９の駆動モータ７への給電経路が次のように構成されている。つまり、本実施形態では、駆動モータ７が金属製筐体７ａを有するものになされると共に、金属板製フレーム１への固定用金属ビス３３を介して金属製筐体７ａと金属板製フレーム１とが導通され、さらに駆動モータ７の一方の給電電極３４ａが金属製筐体７ａと接続３５されている。そして、プリント配線基板１０から紙送り機構９の駆動モータ７への直流の出力電極３６ｂは、導電ワイヤ３７を介して駆動モータ７の他方の給電電極３４ｂに接続され、他方の出力電極３６ａは金属板製フレーム１と導通させた金属ビス１１に接続３８してある。
【００２３】
本実施形態では、プリント配線基板１０の金属板製フレーム１への固定用ビスのうち、駆動モータ７に近い側のビス１１が金属板製フレーム１と導通してある。従って、駆動モータ７の一方の給電電極３４ａへの給電経路は、金属ビス１１、金属板製フレーム１、金属ビス３３及び駆動モータ自身の金属性筐体７ａから構成される。本実施形態のインクジェットプリンタ装置では、プリント配線基板１０の出力電極３６ａ、３６ｂの極性が前述したとおりのタイミングで切替えられ、駆動モータ７が正転から逆転へと切替わり、用紙の紙送りが実行される。また、第一の実施形態と同様に、組立て時には、駆動モータ７に接続する導電ワイヤ３７が１本であるので、取り扱いが容易である。
【００２４】
さらに、本実施形態では、紙送り機構９が、駆動モータ７の回転方向によって、用紙のピックアップ時の紙送りと、ピックアップした用紙を印字装置（印字ヘッド２）側へと送るフィード送りとが切替わるものであり、そのために紙送り機構９の駆動モータ７が反転可能なモータであるインクジェットプリンタ装置であったが、紙送り機構として、用紙のピックアップ機構とピックアップした用紙の印字装置側へ送る機構が独立して備えられ、それぞれに駆動モータが設けられたインクジェットプリンタ装置に本発明を適用してもよく、以下においてこれを第３の実施形態として図６に基づいて説明する。
【００２５】
次に、第３の実施形態に係るインクジェットプリンタ装置について図６を参照して説明する。本実施形態のインクジェットプリンタ装置は、紙送り機構９が、用紙のピックアップ機構９ａとピックアップした用紙の印字装置側へ送る機構９ｂの独立した２つの機構部分から構成されるので、各駆動モータ４１、４２は一方向回転モータであり、その各駆動モータへの給電経路が次のように構成されている。つまり、本実施形態では、各駆動モータが金属製筐体４１ａ、４２ａを有するものになされると共に、金属板製フレーム１への固定用金属ビス４３、４４を介して金属製筐体４１ａ、４２ａと金属板製フレーム１とが導通され、さらに各駆動モータ４１、４２の一方の給電電極４５ａ、４６ａが金属製筐体４１ａ、４２ａと導通接続されている。そして、プリント配線基板１０から各駆動モータ４１、４２への直流の出力電極４７ｂ、４８ｂは、導電ワイヤ４９、５０を介して各駆動モータ４１、４２の他方の給電電極４５ｂ、４６ｂに接続され、他方の出力電極４７ａ、４８ａは金属板製フレーム１と導通させた金属ビス１１に導通接続してある。
【００２６】
本実施形態においては、各駆動モータ４１、４２の一方の給電電極４５ａ、４６ａへの給電経路は、金属ビス１１、金属板製フレーム１、金属ビス４３、４４及び駆動モータ自身の金属性筐体４１ａ、４２ａから構成される。本実施形態のインクジェットプリンタ装置では、各駆動モータ４１、４２の動作タイミングは異なるが、各駆動モータ４１、４２の回転方向は逆転させる必要がなく、一方向回転でよいので、プリント配線基板１０上の駆動モータへの出力電極４７ａ、４７ｂ、４８ａ、４８ｂは極性が切替わることなく、各出力電極からの出力タイミングのみが制御回路によって制御される。従って、本実施形態では、２個の駆動モータ４１、４２共に、その一方の給電電極４５ａ、４６ａへの給電経路を導電ワイヤを用いない経路としたので、２個の駆動モータの４つの給電電極４５ａ、４５ｂ、４６ａ、４６ｂを全て導電ワイヤ（４本の導電ワイヤ）での給電とする場合に比べて導電ワイヤが大きく削減され、組立て時の取り扱いの煩雑さが大幅に解消される。
【００２７】
なお、以上の説明では、本発明をインクジェットプリンタ装置に適用した実施形態としたが、紙送り機構の駆動モータが装置本体の金属板製フレームに固定されたプリンタ装置であれば、インクジェットプリンタ装置以外のプリンタ装置であっても、紙送り機構の駆動モータについての給電構造を上記第２の実施形態又は第３の実施形態と同様に構成して本発明を実施することができる。
【図面の簡単な説明】
【００２８】
【図１】本発明の第１の実施形態に係るインクジェットプリンタ装置の要部の斜視図。
【図２】図１のＡ部の拡大図。
【図３】図１のＢ部の拡大図。
【図４】同要部の概略平面図。
【図５】本発明の第２の実施形態に係るインクジェットプリンタ装置の要部の概略平面図。
【図６】本発明の第３の実施形態に係るインクジェットプリンタ装置の要部の概略平面図。
【符号の説明】
【００２９】
１  金属板製フレーム
２  印字ヘッド
３  印字ヘッドキャリア
５  駆動モータ
５ａ  金属製筐体
７  駆動モータ
７ａ  金属製筐体
９  紙送り機構
９ａ  用紙のピックアップ用の機構
９ｂ  用紙を印字装置側へ送るフィード送り用の機構
１０  プリント配線基板
１１  金属ビス
１３  金属ビス
１４  直流電源回路
１８  固定用金属ビス
１９ａ  給電電極
１９ｂ  給電電極
２０  接続
２１ａ  出力電極
２１ｂ  出力電極
２２  導電ワイヤ
２３  接続
２４  極性切替回路
３３  固定用金属ビス
３４ａ  給電電極
３４ｂ  給電電極
３５  接続
３６ａ  出力電極
３６ｂ  出力電極
３７  導電ワイヤ
４１  駆動モータ
４１ａ  金属製筐体
４２  駆動モータ
４２ａ  金属製筐体
４３  固定用金属ビス
４４  固定用金属ビス
４５ａ  給電電極
４５ｂ  給電電極
４６ａ  給電電極
４６ｂ  給電電極
４７ａ  出力電極
４７ｂ  出力電極
４８ａ  出力電極
４８ｂ  出力電極
４９  導電ワイヤ
５０  導電ワイヤ
【図１】
2006198892.tif 000003
【図２】
2006198892.tif 000004
【図３】
2006198892.tif 000005
【図４】
2006198892.tif 000006
【図５】
2006198892.tif 000007
【図６】
2006198892.tif 000008